(57)【要約】【課題】スラット差込作業の省力化、効率化を図るとともに、作業時にスラットを傷付けることがないシャッターカーテン組立用補助具を提供する。【解決手段】シャッターカーテン組立用補助具６は、スラット案内部７と、スラット案内部７を支持する基台８と、を有している。スラット案内部７は、スラット３０の長さ方向Ｘに回転する複数のガイドローラ７０ａ，７１ａ，７２ａを、複数のガイドローラ７０ａ，７１ａ，７２ａの周面がスラット３０の長さ方向に直交する方向Ｙに凹状のガイド面を形成するように配設することで構成されている。【選択図】  図４
2008156978.tif 000002
【特許請求の範囲】
【請求項１】
スラット案内部と、スラット案内部を支持する基台と、を有し、
前記スラット案内部は、スラットをスラットの長さ方向に案内する凸曲面を備えた複数のガイド体を、複数のガイド体の凸曲面がスラットの長さ方向に直交する方向に凹状のガイド面を形成するように配設することで構成されている、
シャッターカーテン組立用補助具。
【請求項２】
前記ガイド体は、スラットの長さ方向に回転するガイドローラであり、前記凸曲面はガイドローラの周面である、請求項１に記載の補助具。
【請求項３】
前記スラット案内部は、少なくとも一つの中央ガイドローラと、中央ガイドローラのローラ軸方向両側に少なくとも一つずつ配設した左右の傾斜ガイドローラと、からなり、前記凹状のガイド面が中央ガイドローラ、左右の傾斜ガイドローラの周面から形成されている、請求項２に記載の補助具。
【発明の詳細な説明】
【技術分野】
【０００１】
本発明はシャッターカーテン組立用補助具に係り、詳しくは、現場においてスラットを差し込むための補助具に関するものである。
【背景技術】
【０００２】
大型のシャッター装置では、シャッターカーテンの重量が重いため、巻取シャフトとスラットを別個に現場に搬入して、現場においてシャッターカーテンを組み立てることが行われる。具体的には、クレーン等で吊ったスラットに対してスラットのインターロック連結部同士をスラットの長さ方向から差し込むようにして順次スラットを連結することが行われる。
【０００３】
しかしながら大型シャッタースラットには、長さが１０ｍを超えるものもあり、長いスラットは撓み量が大きいため、スラットの差込作業には３〜４人の作業員が必要となる。しかしながら、現場のシャッター設置作業において、スラット差込作業以外の作業には通常２人いれば十分であり、スラットの差込作業にのみ余計な人員が必要となり、人件費が全体の作業コストを押し上げることになる。
【０００４】
また、現場においては、脚立等の上でスラットを滑らせて差込作業を行う場合もあるが、この場合、脚立上でスラットを滑らすことによるスラットの傷付きが懸念され、また、本来脚立はその上で物を滑らすことを目的とするものでないため、スラットの滑りが悪いことによる作業性の低下、さらには、作業時にスラットを落下させてしまう危険性もある。また、特許文献１には、スラットの吊り込み方法およびその装置が開示されているが、このものは吊り込み作業に大掛かりな装置が必要となると共に、都度現場に装置を運搬する手間がかかる。
【特許文献１】特公平７−４２８３３
【発明の開示】
【発明が解決しようとする課題】
【０００５】
本発明は、スラット差込作業の省力化、効率化を図るとともに、作業時にスラットを傷付けることがないシャッターカーテン組立用補助具を提供することを目的とするものである。
【課題を解決するための手段】
【０００６】
かかる課題を達成するために本発明が採用した技術手段は、スラット案内部と、スラット案内部を支持する基台と、を有し、前記スラット案内部は、スラットをスラットの長さ方向に案内する凸曲面を備えた複数のガイド体を、複数のガイド体の凸曲面がスラットの長さ方向に直交する方向に凹状のガイド面を形成するように配設することで構成されている、シャッターカーテン組立用補助具、である。凹状のガイド面を形成する各ガイド体の凸曲面は、スラットの長さ方向に互いに偏倚していてもよい。
【０００７】
一つの態様では、前記ガイド体は、スラットの長さ方向に回転するガイドローラであり、前記凸曲面はガイドローラの周面である。より具体的な態様例では、前記スラット案内部は、少なくとも一つの中央ガイドローラと、中央ガイドローラのローラ軸方向両側に少なくとも一つずつ配設した左右の傾斜ガイドローラと、からなり、前記凹状のガイド面が中央ガイドローラ、左右の傾斜ガイドローラの周面から形成されている。この場合においても、凹状のガイド面を形成する中央ガイドローラ、左右の傾斜ガイドローラの周面の一つ以上がスラットの長さ方向に偏倚していてもよい。また、前記ガイド体は必ずしも回転体から形成される必要はなく、前記凸曲面を滑動性に優れた面から形成してもよい。滑動性に優れた面が、ガイド体自体の材料の選択、ガイド体の凸曲面へのコーティング等によって得られることは当業者において周知である。
【発明の効果】
【０００８】
本発明に係るシャッターカーテン組立用補助具を用いることで、スラットを、スラット案内部の複数のガイド体の凸曲面からなるガイド面に支承させ、凸曲面上を滑らせながら、スラット同士を長さ方向から差し込めばよいので、スラット差込作業の省力化、効率化を図ることができる。また、スラットの差込時には、スラットを、ガイド体の凸曲面上を滑らすので、スラットとガイド体との接触面を最小限とすることができ、スラットに傷が付くことを可及的に防止することができ、スラットを、回転するローラ周面上を滑らすことで、一層有利な効果を奏する。さらに、ガイド体の凸曲面がスラットの長さ方向に直交する方向に凹状のガイド面を形成しているので、スラットの差込作業時に、スラットが落下して損傷することが防止される。
【発明を実施するための最良の形態】
【０００９】
図１は、シャッター装置の全体構成を示す図であって、シャッター装置は、建物開口部の上方に設置されたシャッターケース１と、シャッターケース１内に設けた巻取シャフト２と、巻取シャフト２に連結されたシャッターカーテン３と、建物開口部の左右端部に立設された左右のガイドレール４と、巻取シャフト２を回転駆動させる開閉機５と、を備えている。図２に示すように、シャッターカーテン３を構成するスラット３０は上側にインターロック連結部３０ａ、下側にインターロック連結部３０ｂがそれぞれ一体形成されており、スラット３０をインターロック部３０ａ，３０ｂ同士を連結させることで上下に連設してシャッターカーテン３が形成されている。スラット３０同士の連結は、一方のスラット３０のインターロック連結部３０ｂに、他方のスラット３０のインターロック連結部３０ａをスラット３０の長さ方向から差し込むことで行われる。
【００１０】
現場におけるシャッターカーテン３の組立作業は、連結された数枚のスラット３０を巻取シャフトから吊持させ（吊持は仮ワイヤを介して、あるいは、巻取シャフトに連結された吊元を介して行われる）、吊持されているスラット３０の下端のインターロック連結部３０ｂに対して、次のスラット３０の上側のインターロック連結部３０ａをスラット３０の長さ方向から差し込む作業を順次繰り返すことで行われる。
【００１１】
スラット３０同士の差込作業には、本発明のシャッターカーテン組立用補助具６が用いられる。図３に示すように、シャッターカーテン組立用補助具６は、スラット案内部７とスラット案内部７を支持する基台８とからなる。基台８は、スラット案内部７が載設された天板８０と、天板８０を支持する支持脚８１と、からなる。基台８の高さ寸法は、基台８の上に載設されたスラット案内部７によるスラット３０の案内作業を行う際に、作業者が作業し易いような高さに設計することが望ましい。
【００１２】
図４に示すように、スラット案内部７は、３つのローラユニット７０，７１，７２と、３つのローラユニット７０，７１，７２が載設されるベース７３と、から構成されている。各ローラユニット７０，７１，７２は、ガイドローラ７０ａ，７１ａ，７２ａとガイドローラ７０ａ，７１ａ，７２ａを回転自在に支持する支持部７０ｂ，７１ｂ，７２ｂとからなる。図示の例では、３つのローラユニット７０，７１，７２は同じ形状を有している。
【００１３】
第１ローラユニット７０は、ベース７３上に水平状に配設された中央ローラユニットであり、中央ガイドローラ７０ａは、そのローラ軸７０ｃおよびガイド面を構成する周面が水平状になるように支持部７０ｂに支持されている。
【００１４】
第２ローラユニット７１、第３ローラユニット７２は、第１ローラユニット７０のローラ軸方向の両側に配設された左右の傾斜ローラユニットである。第２ローラユニット７１の傾斜ガイドローラ７１ａおよび第３ローラユニット７２の傾斜ガイドローラ７２ａは、それらのローラ軸７１ｃ、７２ｃおよびガイド面を構成する周面が互いに離間する方向に上向きに傾斜するように支持部７１ｂ，７２ｂに支持されている。第２ローラユニット７１、第３ローラユニット７２はそれぞれスペーサ７１ｄ、７２ｄを用いることでベース７３上に傾斜状に配設してなる。
【００１５】
３つのローラユニット７０，７１，７２の配置態様について説明する。図５（Ａ）に第１ローラユニット７０を代表して示す。第１ローラユニット７０は、ガイドローラ７０ａがスラットの長さ方向Ｘに回転するように配置される。したがって、ガイドローラ７０ａのローラ軸７０ｃはスラットの長さ方向Ｘに直交する方向Ｙに水平状に延出する。第２ローラユニット７１、第３ローラユニット７２も同様に、ガイドローラ７１ａ，７２ａがスラットの長さ方向Ｘに回転するように配置され、ガイドローラ７１ａ，７２ａのローラ軸７１ｂ、７２ｂはスラットの長さ方向Ｘに直交する方向Ｙに傾斜状に延出する。図５（Ｂ）に示すように、３つのローラユニット７０，７１，７２は、３つのガイドローラ７０ａ，７１ａ，７２ａの周面がスラットの長さ方向に直交する方向Ｙに凹状のガイド面を形成するように配設してある。凹状のガイド面の全体としてのＹ方向の寸法Ｄは、少なくともスラット３０の２枚分の幅寸法であることが望ましい。図示の例では、ガイドローラ７０ａ，７１ａ，７２ａのローラ軸方向の寸法は、１枚のスラット３０の幅寸法Ｈと略同じである。図示の例では、凹状のガイド面上に２枚のスラット３０を載せたものを示したが、ガイドローラ７０ａ，７１ａ，７２ａのオーバーラップの寸法を小さくしたり、ガイドローラ７０ａ，７１ａ，７２ａのローラ軸方向の寸法自体を大きくしたりすることで、凹状のガイド面上に３枚のスラット３０を載せることもできる。
【００１６】
図示の例では、３つのガイドローラ７０ａ，７１ａ，７２ａから凹状のガイド面を形成しているが、スラット３０が入り込むような隙間が形成されないように配置するのであれば、２つの傾斜状のガイドローラから凹状のガイド面を形成してもよい。また、図示の例では、ローラユニット７１，７２は、左右の傾斜ガイドローラ７１ａ，７２ａのローラ軸方向の一方の端部が、水平状の中央ガイドローラ７０ａのローラ軸方向の両端部にオーバーラップするように、ローラユニット７０に対してスラットの長さ方向Ｘに偏倚させて配置してあるが、スラット３０が入り込むような隙間が形成されないように配置するのであれば、３つのガイドローラ７０ａ，７１ａ，７２ａをオーバーラップしないように配置してもよい。
【００１７】
このように構成されたシャッターカーテン組立用補助具６を用いてスラット３０の差込作業を行う場合には、図６に示すように、スラット３０をスラット案内部７のガイドローラ７０ａ，７１ａ，７２ａの周面からなるガイド面に支承させ、スラット３０の長さ方向Ｘに回転自在のガイドローラ周面上を滑らせながら、インターロック連結部３０ａを、既に連結されているスラット３０のインターロック連結部３０ｂにスラットの長さ方向Ｘから差し込んでいけばよい。スラット３０の長さ寸法に応じて、適宜複数のシャッターカーテン組立用補助具６を用いることができる。本発明に係るシャッターカーテン組立用補助具６を用いることで、長さ寸法が１０ｍを超える大型スラットであっても、２人でスラット差込作業を行うことができる。スラット３０の差込時には、スラット３０を回転するローラ周面上を滑らすので、スラット３０に傷が付くことが無く、作業性も良好である。また、図７に示すように、３つのガイドローラ７０ａ，７１ａ，７２ａの周面がスラットの長さ方向に直交する方向Ｙに凹状のガイド面を形成しているので、スラット３０の差込作業時に、スラット３０が落下することが防止されると共に、ガイド面上でスラット３０の差込作業を行うこともできる。
【産業上の利用可能性】
【００１８】
本発明は、大型シャッターカーテンの現場における組立作業に用いることができる。
【図面の簡単な説明】
【００１９】
【図１】シャッター装置の全体概略正面図（全開状態を示している）である。
【図２】シャッターカーテンの部分側面図である。
【図３】シャッターカーテン組立用補助具の全体図である。
【図４】シャッターカーテン組立用補助具のスラット案内部を示す図である。
【図５】（Ａ）はローラユニットを示す図、（Ｂ）はスラット案内部における各ローラユニットの配置態様を示す図である。
【図６】シャッターカーテン組立用補助具を用いたシャッターカーテン組立作業を示す図である。
【図７】シャッターカーテン組立用補助具を用いたシャッターカーテン組立作業を示す図である。
【符号の説明】
【００２０】
３０  スラット
６  シャッターカーテン組立用補助具
７  スラット案内部
７０  第１ローラユニット
７０ａ  第１ガイドローラ
７１  第２ローラユニット
７１ａ  第２ガイドローラ
７２  第３ローラユニット
７２ａ  第３ガイドローラ
Ｘ  シャッターの長さ方向
Ｙ  シャッターの長さ方向に直交する方向
【図１】
2008156978.tif 000003
【図２】
2008156978.tif 000004
【図３】
2008156978.tif 000005
【図４】
2008156978.tif 000006
【図５】
2008156978.tif 000007
【図６】
2008156978.tif 000008
【図７】
2008156978.tif 000009